(57)【特許請求の範囲】
【請求項１】
操作端末及び外部サーバーとネットワークにより接続され、印刷ジョブ実行処理部を備えた画像形成装置であって、
前記画像形成装置は、画質を維持したままＣＭＹＫ形式からＲＧＢ形式にデータを変換する機能を備えておらず、
前記印刷ジョブ実行処理部は、
原稿データから、前記操作端末のドライバー処理部により作成された、プリンター記述言語に変換された前記ＣＭＹＫ形式の印刷用画像データ及び前記印刷用画像データと同等あるいは同程度の画質の前記ＲＧＢ形式の実行履歴画像データと、前記操作端末に入力された印刷情報とを含む印刷要求ジョブを前記操作端末から受信すると、
前記印刷要求ジョブから前記印刷用画像データと前記印刷情報とを取り出し、前記印刷用画像データの前記プリンター記述言語を解析し、前記印刷情報に基づいて前記印刷用画像データを印刷し、前記印刷要求ジョブから前記実行履歴画像データを取り出し、前記実行履歴画像データを前記外部サーバーに送信し、保存させる
ことを特徴とする画像形成装置。
【請求項２】
前記画像形成装置は、
前記ＣＭＹＫ形式から前記ＲＧＢ形式にデータを変換する機能自体を有しない
ことを特徴とする請求項１に記載の画像形成装置。
【請求項３】
前記印刷ジョブ実行処理部は、
前記印刷要求ジョブから前記実行履歴画像データを取り出し、前記実行履歴画像データを前記画像形成装置に接続したＵＳＢメモリーに保存する
ことを特徴とする請求項１または請求項２に記載の画像形成装置。
【請求項４】
互いにネットワークに接続された、操作端末、画像形成装置、及び外部サーバーを有する画像形成システムであって、
前記画像形成装置は、画質を維持したままＣＭＹＫ形式からＲＧＢ形式にデータを変換する機能を備えておらず、
前記操作端末は、ドライバー処理部を備え、
前記ドライバー処理部は、
原稿データから前記ＣＭＹＫ形式の印刷用画像データを作成し、
前記原稿データから前記印刷用画像データと同等あるいは同程度の画質の前記ＲＧＢ形式の実行履歴画像データを作成し、
前記印刷用画像データをプリンター記述言語に変換し、
前記プリンター記述言語に変換した前記印刷用画像データと、前記実行履歴画像データと、前記操作端末に入力された印刷情報とを含む印刷要求ジョブを前記画像形成装置に送信し、
前記画像形成装置は、印刷ジョブ実行処理部を備え、
前記印刷ジョブ実行処理部は、
前記印刷要求ジョブを受信すると、前記印刷要求ジョブから前記印刷用画像データと前記印刷情報とを取り出し、前記印刷用画像データの前記プリンター記述言語を解析し、前記印刷情報に基づいて前記印刷用画像データを印刷し、
前記印刷要求ジョブから前記実行履歴画像データを取り出し、前記実行履歴画像データを前記外部サーバーに送信し、
前記外部サーバーは、データ保存部を備え、
前記データ保存部は、前記画像形成装置から前記実行履歴画像データを受信すると、
前記実行履歴画像データを保存する
ことを特徴とする画像形成システム。
【請求項５】
前記画像形成装置は、
前記ＣＭＹＫ形式から前記ＲＧＢ形式にデータを変換する機能自体を有しない
ことを特徴とする請求項４に記載の画像形成システム。
【請求項６】
前記印刷ジョブ実行処理部は、
前記印刷要求ジョブから前記実行履歴画像データを取り出し、前記実行履歴画像データを前記画像形成装置に接続したＵＳＢメモリーに保存する
ことを特徴とする請求項４または請求項５に記載の画像形成システム。
【発明の詳細な説明】
【技術分野】
【０００１】
本発明は、画像形成装置がジョブを実行したときの記録となる履歴画像（以下、「実行履歴画像」という）を保存する画像形成装置、画像形成装置のドライバー、及び画像形成システムに関する。
【背景技術】
【０００２】
プリンター、多機能プリンター、多機能周辺装置、又は複合機（Multifunction Peripheral、MFP）である画像形成装置は、操作端末から受信した画像データ、または読み取り機が読み取った原稿の画像データを印刷している。また、このような画像形成装置に対して監査が行われると、画像形成装置が実行したジョブにより作成される画像データについても遵守すべき規定に則っているかなどの確認が行われる。このため、画像形成装置が実行したジョブの画像データを保存しておかなければならない。例えば、特許文献１の画像処理プログラム、指示装置および画像処理システムでは、画像処理指示（ジョブ）を行う指示装置（操作端末）と、ジョブを実行するとともに実行履歴画像（イメージログ）を生成する複合機（画像形成装置）と、生成されたイメージログを保存するログサーバー（外部サーバー）から構成されている画像処理システムにおいて、画像データの内容に応じて監査対象となる実行履歴画像を作成してログサーバーに保存している。また、印刷要求のジョブが作成する画像データ（以下、「印刷用画像データ」という）は、ＣＭＹＫ形式の画像データであるので、印刷用画像データから表示可能なＲＧＢ形式の実行履歴画像の画像データ（以下、「実行履歴画像データ」という）を作成するために、画像形成装置は、印刷用画像データをＣＭＹＫ形式からＲＧＢ形式に変換して実行履歴画像データを作成していた。
【先行技術文献】
【特許文献】
【０００３】
【特許文献１】特開２００８−５９２８０号公報
【発明の概要】
【発明が解決しようとする課題】
【０００４】
しかし、コストを抑える等のために、一部の画像形成装置においては、ＣＭＹＫ形式からＲＧＢ形式にデータを変換する機能を備えていない、またはＣＭＹＫ形式からＲＧＢ形式にデータを変換すると画質が低下する。このため、画像形成装置において、ＣＭＹＫ形式の印刷用画像データからＲＧＢ形式の実行履歴画像データを作成することができない、または画質の正常なＲＧＢ形式の実行履歴画像を作成することができないという問題があった。
【０００５】
本発明はこのような状況に鑑みてなされたものであり、上記課題を解決できる画像形成装置、画像形成装置のドライバー、及び画像形成システムを提供することを目的とする。
【課題を解決するための手段】
【０００６】
本発明の画像形成装置は、操作端末及び外部サーバーとネットワークにより接続され、印刷ジョブ実行処理部を備えた画像形成装置であって、前記画像形成装置は、画質を維持したままＣＭＹＫ形式からＲＧＢ形式にデータを変換する機能を備えておらず、前記印刷ジョブ実行処理部は、原稿データから、前記操作端末のドライバー処理部により作成された、プリンター記述言語に変換された前記ＣＭＹＫ形式の印刷用画像データ及び前記印刷用画像データと同等あるいは同程度の画質の前記ＲＧＢ形式の実行履歴画像データと、前記操作端末に入力された印刷情報とを含む印刷要求ジョブを前記操作端末から受信すると、前記印刷要求ジョブから前記印刷用画像データと前記印刷情報とを取り出し、前記印刷用画像データの前記プリンター記述言語を解析し、前記印刷情報に基づいて前記印刷用画像データを印刷し、前記印刷要求ジョブから前記実行履歴画像データを取り出し、前記実行履歴画像データを前記外部サーバーに送信し、保存させることを特徴としている。
また、本発明の画像形成装置は、前記画像形成装置は、前記ＣＭＹＫ形式から前記ＲＧＢ形式にデータを変換する機能自体を有しないことを特徴としている。
また、本発明の画像形成装置は、前記印刷ジョブ実行処理部は、前記印刷要求ジョブから前記実行履歴画像データを取り出し、前記実行履歴画像データを前記画像形成装置に接続したＵＳＢメモリーに保存することを特徴としている。
本発明の画像形成システムは、互いにネットワークに接続された、操作端末、画像形成装置、及び外部サーバーを有する画像形成システムであって、前記画像形成装置は、画質を維持したままＣＭＹＫ形式からＲＧＢ形式にデータを変換する機能を備えておらず、前記操作端末は、ドライバー処理部を備え、前記ドライバー処理部は、原稿データから前記ＣＭＹＫ形式の印刷用画像データを作成し、前記原稿データから前記印刷用画像データと同等あるいは同程度の画質の前記ＲＧＢ形式の実行履歴画像データを作成し、前記印刷用画像データをプリンター記述言語に変換し、前記プリンター記述言語に変換した前記印刷用画像データと、前記実行履歴画像データと、前記操作端末に入力された印刷情報とを含む印刷要求ジョブを前記画像形成装置に送信し、前記画像形成装置は、印刷ジョブ実行処理部を備え、前記印刷ジョブ実行処理部は、前記印刷要求ジョブを受信すると、前記印刷要求ジョブから前記印刷用画像データと前記印刷情報とを取り出し、前記印刷用画像データの前記プリンター記述言語を解析し、前記印刷情報に基づいて前記印刷用画像データを印刷し、前記印刷要求ジョブから前記実行履歴画像データを取り出し、前記実行履歴画像データを前記外部サーバーに送信し、前記外部サーバーは、データ保存部を備え、前記データ保存部は、前記画像形成装置から前記実行履歴画像データを受信すると、前記実行履歴画像データを保存することを特徴としている。
また、本発明の画像形成システムは、前記画像形成装置は、前記ＣＭＹＫ形式から前記ＲＧＢ形式にデータを変換する機能自体を有しないことを特徴としている。
また、本発明の画像形成システムは、前記印刷ジョブ実行処理部は、前記印刷要求ジョブから前記実行履歴画像データを取り出し、前記実行履歴画像データを前記画像形成装置に接続したＵＳＢメモリーに保存することを特徴としている。
【発明の効果】
【０００７】
本発明は、画像形成装置がＣＭＹＫ形式からＲＧＢ形式にデータを変換する機能を備えていない場合でも、ＲＧＢ形式の実行履歴画像を保存できる画像形成装置、画像形成装置のドライバー、及び画像形成システムを提供する。
【図面の簡単な説明】
【０００８】
【図１】本発明の実施形態に係る画像形成システムの構成を示す図である。
【図２】図１に示す画像形成システムのＰＣ、画像形成装置、及び外部サーバーの機能構成を示す図である。
【図３】本発明の実施形態に係るＰＣの印刷要求ジョブ作成送信処理の流れを示すフローチャートである。
【図４】本発明の実施形態に係る画像形成装置の印刷要求ジョブ実行処理の流れを示すフローチャートである。
【図５】本発明の実施形態に係る外部サーバーの実行履歴画像データ保存処理の流れを示すフローチャートである。
【発明を実施するための形態】
【０００９】
以下、本発明を実施するための形態（以下、「実施形態」という）について、図面を参照して説明する。本実施形態は、ＰＣに搭載されている画像形成装置のドライバーが印刷用画像データと実行履歴画像データを作成し、印刷用画像データと実行履歴画像データを格納した印刷要求ジョブを画像形成装置に送信する。画像形成装置は、ＰＣから受信した印刷要求ジョブに格納されている実行履歴画像データを保存する。
【００１０】
本実施形態の画像形成システム１０の概要について、図１を用いて説明する。図１に示すように、画像形成システム１０は、ＰＣ（パソコン）１００、画像形成装置２００、外部サーバー３００、ルーター４００、ＬＡＮ（Local Area Network）５００、インターネット６００、及び他の画像形成装置７００により構成されている。ＰＣ１００、画像形成装置２００、外部サーバー３００、及びルーター４００は、ＬＡＮ５００に接続されている。ルーター４００と画像形成装置７００は、インターネット６００に接続されている。
【００１１】
次に、画像形成システム１０を構成する装置や機器について説明する。
【００１２】
ＰＣ１００は、画像データの印刷要求を行う印刷要求ジョブを、画像形成装置２００または画像形成装置７００に送信するユーザーの操作端末である。
【００１３】
画像形成装置２００は、プリンター、多機能プリンター、多機能周辺装置、又は複合機であり、ＰＣ１００から送信された印刷要求ジョブの実行、または原稿台から直接読み取った原稿の画像データの印刷を行う。また、画像形成装置２００は、実行履歴画像データを外部サーバー３００に送信する。
【００１４】
外部サーバー３００は、画像形成装置２００から受信した実行履歴画像データを保存する。
【００１５】
ルーター４００は、ＬＡＮ５００とインターネット６００とを接続する。また、ルーター４００がＬＡＮ５００に接続するときにファイアーウォール（図示せず）を経由させる。このファイアーウォールにより、ＬＡＮ５００に接続されているＰＣ１００、画像形成装置２００、及び外部サーバー３００への不正アクセスを防止する。
【００１６】
画像形成装置７００は、プリンター、多機能プリンター、多機能周辺装置、又は複合機であり、ＰＣ１００から送信された印刷要求ジョブの実行、または原稿台から直接読み取った原稿の画像データの印刷を行う。また、画像形成装置７００は、実行履歴画像データを外部サーバー３００に送信する。
【００１７】
次に、図１に示す画像形成システム１０のＰＣ１００、画像形成装置２００、及び外部サーバー３００の機能構成について、図２を用いて説明する。なお、画像形成装置７００の機能構成は、画像形成装置２００の機能構成に同じである。
【００１８】
まず、ＰＣ１００の機能構成について図２を用いて説明する。図２に示すようにＰＣ１００は、制御部１１０、メモリー部１２０、操作表示部１３０、及ＬＡＮインターフェイス部１４０を備え、これら各部はバスなどにより接続される構成となっている。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的なＰＣ１００のコントロールを行う。制御部１１０には、ドライバー処理部１１０ａが設けられている。
ドライバー処理部１１０ａは、ＰＣ１００に搭載されている文書作成ソフトウェアまたは作図ソフトウェアなどで作成された原稿データから印刷用画像データを作成する。また、ドライバー処理部１１０ａは、原稿データから実行履歴画像データを作成し、印刷用画像データと実行履歴画像データを格納した印刷要求ジョブを画像形成装置２００に送信する。
【００２０】
メモリー部１２０は、フラッシュメモリー等からなる補助記憶装置で、制御部１１０が実行する処理のプログラムやデータを記憶する。メモリー部１２０には、印刷用画像データ記憶エリア１２０ａと実行履歴画像データ記憶エリア１２０ｂが設けられている。
印刷用画像データ記憶エリア１２０ａは、ドライバー処理部１１０ａが作成する印刷用画像データを一時的に記憶する。
実行履歴画像データ記憶エリア１２０ｂは、ドライバー処理部１１０ａが作成する実行履歴画像データを一時的に記憶する。
【００２１】
操作表示部１３０は、操作パネルを備え、操作パネルからユーザーの操作を入力し、ユーザーの操作結果を表示する。
【００２２】
ＬＡＮインターフェイス部１４０は、ＬＡＮ５００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２３】
次に、画像形成装置２００の機能構成について、図２を用いて説明する。図２に示す画像形成装置２００は、制御部２１０、メモリー部２２０、データ保存部２３０、ＬＡＮインターフェイス部２４０、操作パネル２５０、操作パネル処理部２６０、原稿読取部２７０、画像形成部２８０、及び印刷部２９０を備え、これら各部はバスなどにより接続される構成となっている。
【００２４】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な画像形成装置２００の制御を行う。制御部２１０には、印刷ジョブ実行処理部２１０ａが設けられている。印刷ジョブ実行処理部２１０ａは、ＰＣ１００から受信した印刷要求ジョブを実行する。
【００２５】
メモリー部２２０は、フラッシュメモリー等からなる補助記憶装置で、制御部２１０が実行する処理のプログラムやデータを記憶する。メモリー部２２０には、印刷用画像データ記憶エリア２２０ａと実行履歴画像データ記憶エリア２２０ｂが設けられている。
印刷用画像データ記憶エリア２２０ａは、ＰＣ１００から受信する印刷用画像データを一時的に記憶する。
実行履歴画像データ記憶エリア２２０ｂは、ＰＣ１００から受信する実行履歴画像データを記憶する。
【００２６】
データ保存部２３０は、データやプログラムを保存するハードディスクドライブである。データ保存部２３０には、画像データ保存エリア２３０ａが設けられている。
画像データ保存エリア２３０ａは、原稿読取部２７０により原稿が読み取られて画像形成部２８０により画像処理された画像データ、またはＬＡＮインターフェイス部２４０を経由してＰＣ１００から受信した画像データを保存する。
【００２７】
ＬＡＮインターフェイス部２４０は、ＬＡＮ５００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２８】
操作パネル２５０は、操作メニューの表示、ユーザーの指による操作を受け付ける。また、ユーザーは操作パネル２５０から画像形成装置２００に設定する各種情報を入力することができる。
【００２９】
操作パネル処理部２６０は、画像形成装置２００が備えている機能の操作項目を操作パネル２５０に表示する処理、及び操作パネル２５０からユーザーが行う操作に対する操作データを入力する処理を行う。また、操作パネル処理部２６０は、操作パネル２５０から入力される画像形成装置２００に設定する各種情報の処理を行う。
【００３０】
原稿読取部２７０は、画像形成装置２００の原稿台にセットされた原稿の読み取りを行うもので、ユーザーが操作パネル２５０から読み取り要求を行うことにより、原稿台にセットされた原稿の読み取りを行うことができる。
【００３１】
画像形成部２８０は、ユーザーからの読み取り要求により原稿読取部２７０で読み取った原稿を、印刷可能な画像データに変換する。
【００３２】
印刷部２９０は、印刷ジョブ実行処理部２１０ａから印刷情報を入力すると、印刷用画像データ記憶エリア２２０ａから印刷用画像データを取り出し、印刷情報に基づいて印刷用画像データをコピー用紙に印刷する。
【００３３】
次に、外部サーバー３００の機能構成について、図２を用いて説明する。図２に示すように外部サーバー３００は、制御部３１０、データ保存部３２０、及ＬＡＮインターフェイス部３３０を備え、これら各部はバスなどにより接続される構成となっている。
【００３４】
制御部３１０は、ＲＡＭやＲＯＭ等の主記憶手段、及びＣＰＵ(Central Processing Unit)等の制御手段を備えている。また、制御部３１０は、各種Ｉ／Ｏや、ＵＳＢ（ユニバーサル・シリアル・バス）等のインターフェイス、バスコントローラー等を含む総合的な外部サーバー３００のコントロールを行う。制御部３１０には、実行履歴画像データ保存処理部３１０ａが設けられている。
実行履歴画像データ保存処理部３１０ａは、画像形成装置２００から受信する実行履歴画像データを保存する処理を行う。
【００３５】
データ保存部３２０は、データやプログラムを保存するハードディスクドライブである。データ保存部３２０には、実行履歴画像データ保存エリア３２０ａが設けられている。
実行履歴画像データ保存エリア３２０ａは、画像形成装置２００から受信する実行履歴画像データを保存する。
【００３６】
ＬＡＮインターフェイス部３３０は、ＬＡＮ５００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００３７】
次に、ＰＣ１００の制御部１１０に設けられているドライバー処理部１１０ａが実行する印刷要求ジョブ作成送信処理の手順について、図３を用いて説明する。
【００３８】
ユーザーが文書作成ソフトウェアまたは作図ソフトウェアなどで作成した原稿データと、印刷サイズ、印刷部数、及び送付先などの印刷情報を設定して操作表示部１３０から印刷要求を行うと、制御部１１０がドライバー処理部１１０ａを起動し、ドライバー処理部１１０ａが印刷要求ジョブ作成送信処理を開始する。なお、送付先には、画像形成装置２００のアドレスが設定されている。
【００３９】
（ステップＳ１０１）
まず、ドライバー処理部１１０ａは、操作表示部１３０から原稿データを入力する。
【００４０】
（ステップＳ１０２）
次いで、ドライバー処理部１１０ａは、原稿データをＣＭＹＫ形式に変換して印刷用画像データを作成する。
【００４１】
（ステップＳ１０３）
次いで、ドライバー処理部１１０ａは、原稿データをＲＧＢ形式に変換して実行履歴画像データを作成する。
【００４２】
（ステップＳ１０４）
次いで、ドライバー処理部１１０ａは、ステップＳ１０２で作成した印刷用画像データをプリンター記述言語に変換する。
【００４３】
（ステップＳ１０５）
次いで、ドライバー処理部１１０ａは、操作表示部１３０から印刷情報を入力する。
【００４４】
（ステップＳ１０６）
次いで、ドライバー処理部１１０ａは、プリンター記述言語に変換した印刷用画像データと、実行履歴画像データをステップＳ１０５で入力した印刷情報とを印刷要求ジョブに格納する。
【００４５】
（ステップＳ１０７）
次いで、ドライバー処理部１１０ａは、ＬＡＮインターフェイス部１４０を経由して印刷情報の送付先に設定されているアドレスの画像形成装置２００に印刷要求ジョブを送信し、ドライバー処理を終了する。
【００４６】
次に、画像形成装置２００の制御部２１０に設けられている印刷ジョブ実行処理部２１０ａが実行する印刷ジョブ実行処理の手順について、図４を用いて説明する。
【００４７】
画像形成装置２００のＬＡＮインターフェイス部２４０がＰＣ１００から印刷要求ジョブを受信すると、制御部２１０が印刷ジョブ実行処理部２１０ａを起動し、印刷ジョブ実行処理部２１０ａが印刷ジョブ実行処理を開始する。
【００４８】
（ステップＳ２０１）
まず、印刷ジョブ実行処理部２１０ａは、ＬＡＮインターフェイス部２４０から印刷要求ジョブを入力する。
【００４９】
（ステップＳ２０２）
次いで、印刷ジョブ実行処理部２１０ａは、印刷要求ジョブから印刷用画像データを取り出し、印刷用画像データ記憶エリア２２０ａに記憶する。
【００５０】
（ステップＳ２０３）
次いで、印刷ジョブ実行処理部２１０ａは、印刷要求ジョブから実行履歴画像データを取り出し、実行履歴画像データ記憶エリア２２０ｂに記憶する。
【００５１】
（ステップＳ２０４）
次いで、印刷ジョブ実行処理部２１０ａは、印刷要求ジョブから印刷情報を取り出し印刷部２９０に出力する。印刷部２９０は、印刷情報を入力すると、印刷用画像データ記憶エリア２２０ａから印刷用画像データを取り出し、印刷用画像データのプリンター記述言語を解析し、印刷情報に基づいて印刷用画像データをコピー用紙に印刷する。
【００５２】
（ステップＳ２０５）
次いで、印刷ジョブ実行処理部２１０ａは、実行履歴画像データ記憶エリア２２０ｂから実行履歴画像データを取り出し、ＬＡＮインターフェイス部２４０を経由して外部サーバー３００に実行履歴画像データを送信し、印刷ジョブ実行処理を終了する。
【００５３】
次に、外部サーバー３００の制御部３１０に設けられている実行履歴画像データ保存処理部３１０ａが実行する実行履歴画像データ保存処理の手順について、図５を用いて説明する。
【００５４】
外部サーバー３００のＬＡＮインターフェイス部３３０が画像形成装置２００から実行履歴画像データを受信すると、制御部３１０が実行履歴画像データ保存処理部３１０ａを起動し、実行履歴画像データ保存処理部３１０ａが実行履歴画像データ保存処理を開始する。
【００５５】
（ステップＳ３０１）
まず、実行履歴画像データ保存処理部３１０ａは、画像形成装置２００から受信した実行履歴画像データをＬＡＮインターフェイス部３３０から入力する。
【００５６】
（ステップＳ３０２）
次いで、実行履歴画像データ保存処理部３１０ａは、ステップＳ３０１で入力した実行履歴画像データをデータ保存部３２０の実行履歴画像データ保存エリア３２０ａに保存し、実行履歴画像データ保存処理を終了する。
【００５７】
以上のように、ＰＣ１００に搭載されているドライバー処理部１１０ａが原稿データから印刷用画像データと実行履歴画像データを作成するので、画像形成装置２００がＣＭＹＫ形式からＲＧＢ形式にデータを変換する機能を備えていない場合でも、画像形成装置２００がＲＧＢ形式の実行履歴画像データをＰＣ１００から受信することができる。これにより、画像形成装置２００は、実行履歴画像データを外部サーバー３００に送信することで、外部サーバー３００に実行履歴画像データを保存することができる。
【００５８】
なお、実施形態においては、印刷用画像データ、実行履歴画像データ、及び印刷情報を格納した印刷要求ジョブをＰＣ１００から画像形成装置２００に送信する場合について説明したが、これに限定されない。例えば、ＰＣ１００からインターネット６００に接続されている画像形成装置７００に印刷要求ジョブを送信することも可能である。
【００５９】
また、実施形態においては、ＬＡＮ５００に接続されている外部サーバー３００に実行履歴画像データを保存するようにしたが、インターネット６００に接続されている外部サーバーに実行履歴画像データを保存することも可能である。また、画像形成装置２００のデータ保存部２３０に実行履歴画像データ保存エリアを設けて実行履歴画像データを保存することも可能である。また、画像形成装置２００に接続したＵＳＢ(Universal Serial Bus)メモリーに実行履歴画像データを保存することも可能である。
【００６０】
このような本発明の画像形成装置及び画像システムは、画像形成装置がＣＭＹＫ形式からＲＧＢ形式にデータを変換する機能を備えていない場合でも、ＲＧＢ形式の実行履歴画像を保存できる。
【００６１】
以上、具体的な実施の形態により本発明を説明したが、上記実施の形態は本発明の例示であり、この実施の形態に限定されないことは言うまでもない。
【産業上の利用可能性】
【００６２】
本発明は、画像形成装置、画像形成装置のドライバー、及び画像形成システムに好適であるが、画像形成装置、画像形成装置のドライバー、及び画像形成システムに限られるものではなく、実行履歴画像データを処理する装置、装置のドライバー、及びシステム一般に適用できる。
【符号の説明】
【００６３】
１０・・・・・画像形成システム
１００・・・・・ＰＣ
１１０・・・・・制御部
１１０ａ・・・・ドライバー処理部
１２０・・・・・メモリー部
１２０ａ・・・・印刷用画像データ記憶エリア
１２０ｂ・・・・実行履歴画像データ記憶エリア
１３０・・・・・操作表示部
１４０・・・・・ＬＡＮインターフェイス部
２００・・・・・画像形成装置
２１０・・・・・制御部
２１０ａ・・・・印刷ジョブ実行処理部
２２０・・・・・メモリー部
２２０ａ・・・・印刷用画像データ記憶エリア
２２０ｂ・・・・実行履歴画像データ記憶エリア
２３０・・・・・データ保存部
２３０ａ・・・・画像データ保存エリア
２４０・・・・・ＬＡＮインターフェイス部
２５０・・・・・操作パネル
２６０・・・・・操作パネル処理部
２７０・・・・・原稿読取部
２８０・・・・・画像形成部
２９０・・・・・印刷部
３００・・・・・外部サーバー
３１０・・・・・制御部
３１０ａ・・・・実行履歴画像データ保存処理部
３２０・・・・・データ保存部
３２０ａ・・・・実行履歴画像データ保存エリア
３３０・・・・・ＬＡＮインターフェイス部
４００・・・・・ルーター
５００・・・・・ＬＡＮ
６００・・・・・インターネット
７００・・・・・画像形成装置
【図１】
0006311484.tif 000002
【図２】
0006311484.tif 000003
【図３】
0006311484.tif 000004
【図４】
0006311484.tif 000005
【図５】
0006311484.tif 000006